(57)【特許請求の範囲】
【請求項１】
吸込部を有する取水口の周囲に取付架台を設置し、
該取付架台を介して、取水口外側に斜め下方に傾斜して張り出す傾斜フレームを取り付け、
取付架台と傾斜フレームとの間に、張出フレームを取り付け、
傾斜フレーム間を連結フレームで連結すると共に、
傾斜フレームに展張ロープを取り付け、
該展張ロープの先端をアンカーブロックに取り付け、
傾斜フレームと展張ロープとを利用して取水口にクラゲ流入防止用ネットを取り付けることを特徴とする、プレハブ式クラゲ流入防止方法。
【請求項２】
吸込部を有する取水口の周囲に設置する取付架台と、
該取付架台を介して、取水口外側に斜め下方に傾斜して張り出すように取り付ける傾斜フレームと、
取付架台と傾斜フレームとの間に取り付ける張出フレームと、
傾斜フレーム間を連結する連結フレームと、
傾斜フレームに取り付ける展張ロープと、
該展張ロープの先端側に取り付けるアンカーブロックと、
傾斜フレームと展張ロープとを利用して取水口に取り付けるクラゲ流入防止用ネットとを備えた、プレハブ式クラゲ流入防止装置。
【請求項３】
傾斜フレームと張出フレームと連結フレームとが、中空パイプであることを特徴とする、請求項２に記載の装置。
【発明の詳細な説明】
【０００１】
【発明が属する技術分野】
【０００２】
本発明はプレハブ式クラゲ流入防止方法及びその装置に関し、詳細には、火力発電所や原子力発電所等における海底に設置した側面側に吸込部を有する取水口へのプレハブ式クラゲ流入防止手段に関する。
【０００３】
【従来の技術及び発明が解決しようとする課題】
【０００４】
従来より、発電所等における側面側に吸込部を有する取水口には、取水設備へのクラゲの流入を防止するために、種々の対策が施されている。
【０００５】
例えば、取水口の周囲に鋼材等による固定フレームを取り付け、該固定フレームに、クラゲ流入防止用ネットを設置することが行われている。
【０００６】
しかしながら、該手段は、固定フレームの海底への取り付け側について、海底面に対応してレベル調節が困難なので、設置に手間がかかっていた。
また、海中で鋼材を設置する作業は、鋼材の重量が作業性に影響を与える場合もあった。
【０００７】
従って、本発明の目的は、側面側に吸込部を有する取水口について、海底面に対応したレベル調節が容易で設置に手間がかからず、作業性に優れたクラゲ流入防止手段を提供することにある。
【０００８】
【課題を解決するための手段】
【０００９】
本発明の課題を解決するための手段は、下記のとおりである。
【００１０】
第１に、吸込部を有する取水口の周囲に取付架台を設置し、
該取付架台を介して、取水口外側に斜め下方に傾斜して張り出す傾斜フレームを取り付け、
取付架台と傾斜フレームとの間に、張出フレームを取り付け、
傾斜フレーム間を連結フレームで連結すると共に、
傾斜フレームに展張ロープを取り付け、
該展張ロープの先端をアンカーブロックに取り付け、
傾斜フレームと展張ロープとを利用して取水口にクラゲ流入防止用ネットを取り付けることを特徴とする、プレハブ式クラゲ流入防止方法。
第２に、吸込部を有する取水口の周囲に設置する取付架台と、
該取付架台を介して、取水口外側に斜め下方に傾斜して張り出すように取り付ける傾斜フレームと、
取付架台と傾斜フレームとの間に取り付ける張出フレームと、
傾斜フレーム間を連結する連結フレームと、
傾斜フレームに取り付ける展張ロープと、
該展張ロープの先端側に取り付けるアンカーブロックと、
傾斜フレームと展張ロープとを利用して取水口に取り付けるクラゲ流入防止用ネットとを備えた、プレハブ式クラゲ流入防止装置。
第３に、傾斜フレームと張出フレームと連結フレームとが、中空パイプであることを特徴とする、上記第２に記載の装置。
【００１１】
本発明において、取付架台は、Ｈ型断面の鋼材等を用いて、例えばＬ字状に作成され、側面側に吸込部を有する取水口の上面板と底面板とに溶接等によって取り付けるものであり、取水口に対して予め設置しておくこともできるし、既に水中に設置された取水口に対して取り付けることもできる。
【００１２】
また、傾斜フレームは、取付架台の下方側から外側に張り出す張出フレームを用いて、傾斜フレームと張出フレームと取付架台とで、取水口の吸込部の外側に三角形状を構成するようにして取り付ける。
各フレームの取り付けは、水中でボルト止めによって行うことができ、また、取り付けたフレームの分解もボルトを外すことで容易に行うことができる。
【００１３】
隣接する傾斜フレーム間は、上部側及び下部側を連結フレームで連結することで、フレーム同士を一体化することができる。
【００１４】
また、上部側及び下部側の連結フレーム同士を、補強フレームを用いて接続することもできる。
【００１５】
ここで、傾斜フレーム、張出フレーム、連結フレーム及び補強フレームを中空パイプで作成することで、特に水中での作業において、浮力によって、重量の影響を少なくすることができ、設置時に加え後のメンテナンス作業を含め作業性に優れたものとなる。
【００１６】
クラゲ流入防止用ネットは、主に傾斜フレームと展張ロープとを利用し、紐等で縛り付けることで取水口に取り付けるが、この際、隣接する傾斜フレーム間や展張ロープ間に×印状にクロスするように補助ロープを取り付けておくこともできる。
【００１７】
展張ロープの傾斜フレームとの接続側と反対側となる先端側は、コンクリートブロック等によるアンカーブロックに取り付けるが、アンカーブロックの接地面である海底面のレベルに対する調節は、展張ロープの長さを調節することで容易に行うことができる。
ここで、隣接するアンカーブロックに取り付けた展張ロープの先端側端同士を、連結展張ロープで結び付けておくこともできるし、また、アンカーブロックの高さが１ｍより小さい場合には海底面から１ｍ程度の距離を保持するように展張ロープの途中に連結展張ロープを結び付けておくこともできる。
このように、海底面から１ｍ程度の距離を離すようにして、連結展張ロープをアンカーブロック若しくは展張ロープの途中に結びつけ、クラゲ流入防止用ネットを設置することで、クラゲが大量に来襲したとき網目全体にクラゲが貼り付いて全く取水ができなくことを防止できる。
【００１８】
【実施例】
【００１９】
以下に、図面を参照しながら、本発明の一実施例について説明する。
【００２０】
図１は、本発明に係るプレハブ式クラゲ流入防止装置の一実施例を示す正面図である。
図２は、本発明に係るプレハブ式クラゲ流入防止装置の一実施例を示す平面図である。
なお、各図については、ネット等の一部の構成品を省略して示している。
【００２１】
本実施例のプレハブ式クラゲ流入防止装置は、側面側に吸込部１ａを有する取水口１の周囲に設置する取付架台１０と、該取付架台１０を介して取り付ける傾斜フレーム２０と、取付架台１０と傾斜フレーム２０との間に取り付ける張出フレーム３０と、該傾斜フレーム２０間を連結する連結フレーム４０（図２参照）と、傾斜フレーム２０に取り付ける展張ロープ５０と、該展張ロープ５０の先端側に取り付けるアンカーブロック６０と、傾斜フレーム２０と展張ロープ５０とを利用して取水口１に取り付けるクラゲ流入防止用ネット７０とを備えている。
【００２２】
ここで、取付架台１０は、Ｈ型断面の鋼材を用い、取水口１の上面板に水平状に張り出すように取り付ける水平状鋼材１１の端部に、垂直状鋼材１２を、下端側が取水口１の底面板上に接触するように垂直状に配置し、各接触部を溶接することでＬ字状に形成したものである。
【００２３】
本実施例においては、図２に示すように、取水口１に対して２２．５度の間隔毎に１６個の取付架台１０が設置されている。
【００２４】
傾斜フレーム２０は、取付架台１０の水平状鋼材１１の端部に、上端側をボルトで止め、取水口１外側に斜め下方に傾斜して張り出すように取り付けたものである。
【００２５】
一方、取付架台１０の垂直状鋼材１２の下端部には、外側に斜め上方に張り出す張出フレーム３０がボルトで止められている。
【００２６】
該張出フレーム３０の先端を、傾斜フレーム２０の下端側にボルトで止めることで、取付架台１０と傾斜フレーム２０と張出フレーム３０とで、取水口１の吸込部１ａの外側に三角形状を構成するようにして取り付けられることになる。
【００２７】
隣接する傾斜フレーム２０間は、上部側及び下部側を、連結フレーム４０とボルトで止めて連結することで、各フレームを一体化することができる。
ここで、各フレームの取り付けは、ボルトで止めるだけなので、容易に行うことができる。
【００２８】
また、傾斜フレーム２０、張出フレーム３０、連結フレーム４０を中空パイプで作成することで、特に水中での作業において、浮力によって、重量の影響を少なくすることができ、設置時に加え、後のメンテナンス作業においても作業性に優れたものとなる。
【００２９】
クラゲ流入防止用ネット７０は、主に傾斜フレーム２０と展張ロープ５０とを利用し、紐等で縛り付けることで取水口１に取り付けるが、この際、図２に示すように、隣接する傾斜フレーム２０間や展張ロープ間５０に×印状にクロスするように補助ロープ５１を取り付けておくこともできる。
【００３０】
展張ロープ５０の傾斜フレーム２０との接続側と反対側となる先端側は、コンクリートブロック等によるアンカーブロック６０に取り付けるが、アンカーブロック６０の接地面である海底面のレベルに対する調節は、展張ロープ５０の長さを調節することで行うことができるので容易に行うことができる。
ここで、隣接するアンカーブロック６０に取り付けた展張ロープ５０の先端側端同士を、図２に示すように、連結展張ロープ５２で結び付けておくことができる。
なお、アンカーブロック６０の高さが１ｍ程度ある場合には、図示したように、展張ロープ５０の先端側端同士を連結展張ロープ５２で結び付けるが、アンカーブロック６０の高さが１ｍより小さい場合には、図示は省略するが、海底面から１ｍ程度の距離を保持するように展張ロープの途中に連結展張ロープを結び付けておくこともできる。
【００３１】
上記のプレハブ式クラゲ流入防止装置によるプレハブ式クラゲ流入防止方法は、次のような手順によって実施できる。
【００３２】
まず、側面側に吸込部１ａを有する取水口１の周囲に取付架台１０を設置し、該取付架台１０の水平状鋼材１１を介して、取水口１外側に斜め下方に傾斜して張り出す傾斜フレーム２０を、垂直状鋼材１２に取り付けた張出フレーム３０にボルトで止めることで取り付ける。
次に、傾斜フレーム２０間を連結フレーム４０で連結する。
また、傾斜フレーム２０に展張ロープ５０を取り付け、該展張ロープ５０の先端をアンカーブロック６０に取り付けると共に、隣接する傾斜フレーム２０間や展張ロープ間５０に×印状にクロスするように補助ロープ５１を取り付ける。
さらに、隣接するアンカーブロック６０に取り付けた展張ロープ５０の先端側端同士を、連結展張ロープ５２で結び付ける。
最後に、傾斜フレーム２０、展張ロープ５０、補助ロープ５１、連結展張ロープ５２を利用して取水口１にクラゲ流入防止用ネット７０を取り付ける。
すると、取水口１の吸込部１ａがクラゲ流入防止用ネット７０に覆われるので、取水設備へのクラゲの流入が防止される。
ここで、海底面から１ｍ程度の距離を離すようにして、クラゲ流入防止用ネット７０を設置することで、クラゲが大量に来襲したとき網目全体にクラゲが貼り付いて全く取水ができなくことを防止できる。
【００３３】
このような工程は、取水口１を水中に設置する前に、取付架台１０を取り付けておいてから、水中で傾斜フレーム２０等を取り付けることで実施することもできる。
また、予め水中に設置した取水口１に対して、水中で取付架台１０を溶接した後、傾斜フレーム２０等の取り付けを行うこともできる。
【００３４】
なお、クラゲの発生時期は限定されるので、発生時期に合わせてクラゲ流入防止ネット７０を取り付け、クラゲの発生の恐れがない時期には、該クラゲ流入防止ネット７０を取り外しておくことができる。
また、メンテナンスやフレームが不用になり撤去するときは、傾斜フレーム２０、張出フレーム３０、連結フレーム４０を止めているボルトを外すことで、各フレームを容易に取り外すことができる。
【００３５】
本実施例では、各フレームの取り付けはボルト接合によるので、水中であってもフレームの着脱を容易に行うことができる。
そして、フレームが不用になって、水域占有面積を減らす目的で撤去する場合も、ボルトを外すことで容易に行うことができる。
さらに、取付架台がない場合には、水中溶接によって取付架台を取り付けることで、本発明を実施できる。
【００３６】
【発明の効果】
【００３７】
本発明によると、側面側に吸込部を有する取水口について、海底面に対応したレベル調節が容易で設置に手間がかからず、フレームの着脱が簡単であり、さらに、中空パイプを用いることで特に水中で作業を行う場合に重量の影響が少なく、作業性に優れている。
【図面の簡単な説明】
【図１】本発明に係るプレハブ式クラゲ流入防止装置の一実施例を示す正面図である。
【図２】本発明に係るプレハブ式クラゲ流入防止装置の一実施例を示す平面図である。
【符号の説明】
１  取水口
１ａ  吸込部
１０  取付架台
１１  水平状鋼材
１２  垂直状鋼材
２０  傾斜フレーム
３０  張出フレーム
４０  連結フレーム
５０  展張ロープ
５１  補助ロープ
５２  連結展張ロープ
６０  アンカーブロック
７０  クラゲ流入防止用ネット
【図１】
0004344483.tif 000002
【図２】
0004344483.tif 000003